(57)【特許請求の範囲】
【請求項１】
筐体内に電気電子機器を取付けるためのマウントアングルを備えた電気電子機器収納用箱であって、
前記筐体の上下には、前記マウントアングルがその取付位置を筐体内で変更可能に取付けられる固定部材を設けるとともに、
前記マウントアングルの上下端部に形成した引掛部を、前記固定部材に形成した係止部にそれぞれ係止して固定した構造であり、
前記引掛部は、マウントアングルの側面一部を凹ませて、かつその内側方向に傾斜するよう形成し、
前記固定部材には、前記上面の左右端部から上下方向に延びる立上片を形成し、
この立上片を前記マウントアングルの側面と引掛部との間に挟持し、
さらに下側の固定部材には、前記マウントアングルが載置される上面を形成するとともに、前記マウントアングルには、下方に突出する凸部を形成し、この凸部を前記上面に形成した差込部に挿通したことを特徴とする電気電子機器収納用箱。
【請求項２】
下側の固定部材に形成した前記係止部は、前記上面と立上片とが接続する角部に、孔部を形成してなることを特徴とする請求項１記載の電気電子機器収納用箱。
【請求項３】
前記マウントアングルと固定部材との双方に、それぞれ対応する貫通孔を形成し、この両貫通孔にストッパを挿通したことを特徴とする請求項１または２に記載の電気電子機器収納用箱。
【発明の詳細な説明】
【技術分野】
【０００１】
本発明は、内部に電気電子機器を収納した電気電子機器収納用箱に関するものである。
【背景技術】
【０００２】
電気電子機器収納用箱の内部には、奥行フレームに固定されたマウントアングルを介して電気電子機器が収納されている。
【０００３】
ここで、奥行フレームには、マウントアングルの取付位置を筐体の前後方向に変更可能とする複数のねじ孔が形成されており、これにより電気電子機器のサイズ変更に対応できるものとしている（特許文献１）。しかしながら、前記構造においてマウントアングルの取付位置を変更する際には、ドライバ等の工具を用いてねじを取外し、さらに変更後の位置でねじを取付ける作業が必要となり、作業性が悪いという問題があった。
【先行技術文献】
【特許文献】
【０００４】
【特許文献１】特開２００１−３４５５８２号公報
【発明の概要】
【発明が解決しようとする課題】
【０００５】
本発明の目的は前記した従来の問題点を解決し、マウントアングルの取付け、取外し作業を容易に行うことができる電気電子機器収納用箱を提供することである。
【課題を解決するための手段】
【０００６】
上記課題を解決するためになされた本発明は、筐体内に電気電子機器を取付けるためのマウントアングルを備えた電気電子機器収納用箱であって、前記筐体の上下には、前記マウントアングルがその取付位置を筐体内で変更可能に取付けられる固定部材を設けるとともに、前記マウントアングルの上下端部に形成した引掛部を、前記固定部材に形成した係止部にそれぞれ係止して固定した構造であり、前記引掛部は、マウントアングルの側面一部を凹ませて、かつその内側方向に傾斜するよう形成し、前記固定部材には、前記上面の左右端部から上下方向に延びる立上片を形成し、この立上片を前記マウントアングルの側面と引掛部との間に挟持し、さらに下側の固定部材には、前記マウントアングルが載置される上面を形成するとともに、前記マウントアングルには、下方に突出する凸部を形成し、この凸部を前記上面に形成した差込部に挿通したことを特徴とするものである。
【０００７】
【０００８】
【０００９】
請求項２記載の発明は、請求項１記載の電気電子機器収納用箱において、下側の固定部材に形成した前記係止部は、前記上面と立上片とが接続する角部に、孔部を形成してなることを特徴とするものである。
【００１０】
請求項３記載の発明は、請求項１または２に記載の電気電子機器収納用箱において、前記マウントアングルと固定部材との双方に、それぞれ対応する貫通孔を形成し、この両貫通孔にストッパを挿通したことを特徴とするものである。
【発明の効果】
【００１１】
本発明に係る電気電子機器収納用箱は、筐体の上下には、マウントアングルがその取付位置を筐体内で変更可能に取付けられる固定部材を設けるとともに、マウントアングルの上下端部に形成した引掛部を、固定部材に形成した係止部にそれぞれ係止して固定したものである。これにより、ツールレスで容易にマウントアングルの取付け、取外し作業を行うことができるものとなる。また、引掛部は、マウントアングルの側面一部を凹ませて、かつその内側方向に傾斜するよう形成し、固定部材には、上面の左右端部から上下方向に延びる立上片を形成し、この立上片をマウントアングルの側面と引掛部との間に挟持することにより、マウントアングルの取付位置を前後、左右、上下方向に、より強固に規制できるものとなる。また、前記傾斜によりマウントアングルを固定部材側に引き寄せるように固定することでマウントアングルの側面と立上片とが密着するので、左右方向のマウントアングル間の寸法を高い精度で確保することができる。
【００１２】
また本発明に係る電気電子機器収納用箱は、下側の固定部材の上面に形成した差込部に、マウントアングルに形成した凸部を挿通するものとしたので、マウントアングルの荷重を分散することができる。また、マントアングルがその捩れ方向への荷重に強くなる効果を奏する。
【００１３】
【００１４】
請求項２に係る発明のように、下側の固定部材に形成した係止部は、上面と立上片とが接続する角部に孔部を形成してなるものとすれば、上方からマウントアングルの引掛部を挿通して係止させることができるため、作業性が良い。
【００１５】
請求項３に係る発明のように、マウントアングルと固定部材との双方にそれぞれ対応する貫通孔を形成し、この両貫通孔にストッパを挿通することで、輸送や地震等による上下方向の振動がマウントアングルに加えられても、マウントアングルが固定部材から外れてしまうことを防止できるものとなる。
【図面の簡単な説明】
【００１６】
【図１】本実施形態の全体斜視図である。
【図２】本実施形態の側面図である。
【図３】マウントアングルの下側を示す拡大図である。
【図４】図３の分解斜視図である。
【図５】図４を別角度からみた分解斜視図である。
【図６】図３の断面図である。
【図７】マウントアングルの上側を示す拡大図である。
【図８】図７の分解斜視図である。
【図９】図７の断面図である。
【図１０】ストッパの挿通を説明する斜視図である。
【図１１】ストッパ挿通時の断面図である。
【図１２】取付位置表示部のその他の形態を示す斜視図である。
【図１３】取付位置表示部のその他の形態を示す斜視図である。
【発明を実施するための形態】
【００１７】
以下に本発明の好ましい実施形態を示す。
図１において、電気電子機器収納用箱は、縦フレーム２と横フレーム３と奥行フレーム４とを枠状に組み合わせて、天井板２１、扉２３、側板２４、及び背面板２５を取付けた筐体１により構成されており、その内部には図示しない電気電子機器が収納される。また電気電子機器は、縦フレーム２と同一方向、即ち上下方向に延びるマウントアングル５に取付けられる。このマウントアングル５の上下端部は、図１及び図２に示すように、筐体１の上下に設けられた固定部材６にそれぞれ固定されるものとし、またこの固定部材６は上下の奥行フレーム４にそれぞれ取付けられている。なお、筐体１は、本実施形態のように各フレームを枠状に組み合わせて構成されるものに限定されず、その他にもフレームを有さないモノコック式の筐体であっても良い。斯かる場合、筐体の底部を構成する底板の奥行部に、固定部材６を取付けることができる。なお、固定部材６は奥行フレーム４に一体に形成されていても良い。
【００１８】
先ず下側の固定部材６について説明する。
図３及び図４に示すように、固定部材６は垂直断面略コ字状であり、マウントアングル５が載置される上面１３と、上面１３の左右端部から下方に延設される立上片１４とを有している。この上面１３は、前後方向に亘り等間隔の孔部として形成された複数の係止部７及び差込部８を備えている。特に係止部７は、前記上面１３と立上片１４との角部に形成するものとし、またこの係止部７には、下方に向かって徐々に幅狭となる溝部９を連通して形成するものとした。なお、立上片１４は上面１３の何れの端部から下方に延設されていても良い。
【００１９】
図４及び図５に示すように、マウントアングル５は水平断面略コ字状であり、さらに筐体１内側に臨む側面の下端には、前後方向に並列配置された２つの引掛部１０を有している。この引掛部１０は、図４乃至図６に示すように、マウントアングル５の側面の一部をその内側方向に傾斜するよう折り曲げ、マウントアングル５の側面から凹むように形成した板状のものである。そしてこの引掛部１０の下端には、引掛部１０よりも幅狭に形成した板状の補強片１２が、マウントアングル５の側面とつながるように一体に形成されている。
【００２０】
ここで、引掛部１０の前後方向の幅は係止部７に挿通可能な幅とし、補強片１２の前後方向の幅は溝部９に挿通可能な幅としている。また、溝部９の上部と係止部７とが連通する連通部２０の幅は、引掛部１０よりも幅狭に形成するものとしてあり、また立上片１４のうち連通部２０が形成された箇所には係止片１４ａが突出して形成されている。
【００２１】
したがって、図３及び図６に示すように、固定部材６に形成された係止部７及び溝部９に、マウントアングル５に形成された引掛部１０及び補強片１２を上方から挿入することで、引掛部１０と連通部２０との距離が徐々に短くなり、マウントアングル５が固定部材６側に徐々に引き寄せられることとなる。そして、補強片１２が溝部９の最下端まで到達すると、引掛部１０の筐体１内側に臨む面が、立上片１４に形成された係止片１４ａの内面と当接して係止されることとなる。すなわち、図６の状態では、固定部材６の立上片１４は、マウントアングル５の側面と引掛部１０との間に挟持されることとなる。なお、溝部９は上方が広く、かつ下方に向かって徐々に幅狭となるよう形成されているため、挿通された補強片１２を容易にガイドできるものとなる。また、図５のように、固定部材６に形成された差込部８には、マウントアングル５の下方端部から突出形成した凸部１１が挿入される。
【００２２】
以上は下側の固定部材６の係止構造についての説明であるが、上側の固定部材６においても、マウントアングル５に形成した引掛部１０が固定部材６の係止部７及び溝部９に挿入されて係止される点は同様であり、その詳細は後述する。
【００２３】
このように、上側、下側の固定部材６の何れにおいても、マウントアングル５の上下端部に形成した引掛部１０を、固定部材６に形成した係止部７にそれぞれ係止して固定する構造を採用している。したがって、引掛部１０を係止部７に係止して固定する簡単な構造となり、ツールレスで容易にマウントアングル５の取付け、取外し作業を行うことができるものとしている。また、下側の固定部材６の上面にマウントアングル５を載置することで、マウントアングル５の荷重を分散することができるものとなる。さらに、凸部１１は、引掛部１０よりも外側となる位置に形成されるものとして、マウントアングル５がその捩れ方向への荷重により強くなるものとしている。
【００２４】
図６のように、引掛部１０をマウントアングル５の内側方向に傾斜するよう形成したことにより、前述のようにマウントアングル５を固定部材６側に引き寄せるように固定することでマウントアングル５の側面と立上片１４とが密着するので、左右方向のマウントアングル５間の寸法を高い精度で確保することができる。また、固定部材６の立上片１４を、マウントアングル５の側面と引掛部１０との間に表裏から挟持する構成とすることで、マウントアングル５の取付位置を前後、左右、上下方向に、より強固に規制できるものとなる。
【００２５】
さらに、係止部７を、上面１３と立上片１４とが接続する角部に形成することで、上方からマウントアングル５の引掛部１０を挿通して係止させることができるため、作業性が良い。
【００２６】
本実施形態では、固定部材６の前後方向に複数の係止部７及び差込部８を形成することで、マウントアングル５の取付位置を筐体１内で変更可能としている。
【００２７】
図４のように、固定部材６には前後方向に形状の異なる取付位置表示部１７を複数形成して、上下に配置された固定部材６間の位置合わせを行うものとし、マウントアングル５が誤って斜めに取付けられることを防止できるものとしている。
【００２８】
図７乃至図９には、上側の固定部材６の詳細構造を示す。
図３乃至図６を用いて説明した下側の固定部材６の構造と同様に、図７のように、奥行フレーム４には固定部材６が固定されており、さらに図８のように、固定部材６には前後方向に亘って係止部７が形成されている。また、係止部７には下方に向かって幅狭となる溝部９が連通して形成されている点も同様である。そして、図７及び図９のように、係止部７及び溝部９に引掛部１０が挿入されると、マウントアングル５が固定部材６側に徐々に引き寄せられて、引掛部１０の筐体１内側に臨む面が立上片１４に形成された係止片１４ａの内面と当接して係止されることとなる。なお、１２は補強片である。
【００２９】
図１０及び図１１のように、マウントアングル５と固定部材６との双方にそれぞれ対応する貫通孔１８を形成し、この両貫通孔１８、１８にストッパ１９を挿通することで、輸送や地震等による上下方向の振動がマウントアングル５に加えられても、マウントアングル５が固定部材６から外れてしまうことを防止できるものとしている。
【００３０】
さらに、図１２及び図１３に示すように、隣接する差込部８間に複数種類の取付位置表示部１７を設けることもできる。この場合、上側の固定部材６と下側の固定部材６とがそれぞれ対応する位置に、同一種類の取付位置表示部１７を配置するものして、マウントアングル５の取付位置がずれることを防止できるものとしている。なお、取付位置表示部１７は、略コ字状に形成されたマウントアングル５の三面に囲われた位置に表示される構造とすることで、マウントアングル５の取付時に取付位置表示部１７の視認性が高いものとなる。
【符号の説明】
【００３１】
１  筐体
２  縦フレーム
３  横フレーム
４  奥行フレーム
５  マウントアングル
６  固定部材
７  係止部
８  差込部
９  溝部
１０  引掛部
１１  凸部
１２  補強片
１３  上面
１４  立上片
１４ａ  係止片
１７  取付位置表示部
１８  貫通孔
１９  ストッパ
２０  連通部
２１  天井板
２３  扉
２４  側板
２５  背面板
【図１】
0006732363.tif 000002
【図２】
0006732363.tif 000003
【図３】
0006732363.tif 000004
【図４】
0006732363.tif 000005
【図５】
0006732363.tif 000006
【図６】
0006732363.tif 000007
【図７】
0006732363.tif 000008
【図８】
0006732363.tif 000009
【図９】
0006732363.tif 000010
【図１０】
0006732363.tif 000011
【図１１】
0006732363.tif 000012
【図１２】
0006732363.tif 000013
【図１３】
0006732363.tif 000014